(57)【特許請求の範囲】
【請求項１】
対面する第１及び第２の壁部のそれぞれに形成された第１及び第２の吸気口と、前記第１の壁部と前記第２の壁部との間の第３の壁部に形成された排気口と、前記第２の吸気口の中央に位置し、前記第２の壁部から内方に向けて突出するベース部と、を有するハウジングと、
前記ハウジング内で前記ベース部に固定されたモータ部と、
前記モータ部に取り付けられて、前記モータ部の回転軸線を中心に回転するインペラ部と、を備えたファンモータにおいて、
前記インペラ部は、前記モータ部が内部に配置されるボス部と、前記ボス部の周縁から径方向外方に延在する複数の羽根と、を有し、複数の前記羽根のうち少なくとも一枚には、前記第２の壁部に近接して回転方向に突出し且つ径方向に延在する凸部が設けられ、
前記ベース部には、前記第２の吸気口に連通して、前記第２の吸気口を前記回転軸線方向に拡大する窪み部が設けられていることを特徴とするファンモータ。
【請求項２】
前記凸部は、前記羽根の前記第２の壁部側の端部に沿って、前記羽根の径方向の外端から内端に向かって前記第２の壁部側の前記端部の途中まで延在していることを特徴とする請求項１記載のファンモータ。
【発明の詳細な説明】
【技術分野】
【０００１】
本発明は、小型のファンモータに関する。
【背景技術】
【０００２】
従来、このような分野の技術として、実用新案登録第３０８１７７５号公報がある。この公報に記載されたファンモータは、前面、後面、及び一方の側面に開口を有する扁平型のハウジング（殻体）内にモータ及びモータにより回転されるインペラ部を収容した構造になっており、インペラ部の回転により前面及び後面の開口から空気を吸い込み、側面の開口から空気を排出する、いわゆる両面吸気でサイドフロータイプのファンモータである。
【０００３】
上記ファンモータにおいて、インペラ部は、モータを覆うボス部（円盤）と、ボス部の周縁で径方向外方に向かって延びる複数の羽根とを有しており、複数の羽根のそれぞれには、インペラ部の回転方向に突出する凸部（導流部）が設けられている。そして、このような凸部を備える構造により、前面の開口から吸い込んだ空気が後面の開口に抜けてしまうことを防止し、吸気・排気の効率向上を図っている。
【先行技術文献】
【特許文献】
【０００４】
【特許文献１】実用新案登録第３０８１７７５号公報
【発明の概要】
【発明が解決しようとする課題】
【０００５】
このようなファンモータにおいては、静圧及び風量を十分に発揮し得ることが求められる。しかしながら、上記した従来のファンモータでは、十分な静圧及び風量を得ることが難しかった。
【０００６】
本発明は、十分な静圧及び風量を得ることができるファンモータを提供することを目的とする。
【課題を解決するための手段】
【０００７】
本発明に係るファンモータは、対面する第１及び第２の壁部のそれぞれに形成された第１及び第２の吸気口と、第１の壁部と第２の壁部との間の第３の壁部に形成された排気口と、第２の吸気口の中央に位置し、第２の壁部から内方に向けて突出するベース部と、を有するハウジングと、ハウジング内でベース部に固定されたモータ部と、モータ部に取り付けられて、モータ部の回転軸線を中心に回転するインペラ部と、を備えたファンモータにおいて、インペラ部は、モータ部が内部に配置されるボス部と、ボス部の周縁から径方向外方に延在する複数の羽根と、を有し、複数の羽根のうち少なくとも一枚には、第２の壁部に近接して回転方向に突出し且つ径方向に延在する凸部が設けられ、ベース部には、第２の吸気口に連通して、第２の吸気口を回転軸線方向に拡大する窪み部が設けられていることを特徴とする。
【０００８】
本発明に係るファンモータによれば、インペラ部がモータ部の回転軸線を中心に回転することで、ハウジングの第１の壁部及び第２の壁部のそれぞれに形成された第１及び第２の吸気口から気体が吸い込まれると共に、ハウジングの第３の壁部に形成された排気口から気体が排出される。ここで、インペラ部の複数の羽根のうち少なくとも一枚には、第２の壁部に近接して回転方向に突出し且つ径方向に延在する凸部が設けられるので、第１の吸気口から吸い込まれた気体が、第２の壁部側に散逸することが防止され、これにより、吸い込まれた気体は排気口から効率良く排出される。よって、気体の静圧を十分に高めることができる。さらに、第２の壁部から内方に向けて突出するベース部には、第２の吸気口に連通して、第２の吸気口を回転軸線方向に拡大する窪み部が設けられているので、この窪み部によって拡大された第２の吸気口を通って気体が吸い込まれることとなり、第２の吸気口からの吸気量を増大させることができる。よって、気体の風量を十分に高めることができる。このように本発明は、十分な静圧と風量とを両立させることができる。
【０００９】
ここで、凸部は、羽根の第２の壁部側の端部に沿って、羽根の径方向の外端から内端に向かって第２の壁部側の端部の途中まで延在していると好適である。この場合、羽根の第２の壁部側の端部において、羽根の径方向の内端寄りには凸部が設けられない部分ができるため、第２の吸気口から吸い込まれる気体の流れが凸部により妨げられることが防止される。よって、上記したベース部の窪み部との協働により、第２の吸気口からの十分な吸気量を確保できる。
【発明の効果】
【００１０】
本発明によれば、十分な静圧及び風量を得ることができる。
【図面の簡単な説明】
【００１１】
【図１】第１実施形態に係るファンモータをカバー側から見た斜視図である。
【図２】図１のファンモータをカバーの反対側から見た斜視図である。
【図３】図１のファンモータの縦断面図である。
【図４】インペラ部の平面図である。
【図５】インペラ部の底面図である。
【図６】第２実施形態に係るファンモータをカバーの反対側から見た斜視図である。
【図７】図６のファンモータの縦断面図である。
【図８】従来のファンモータの縦断面図である。
【発明を実施するための形態】
【００１２】
以下、本発明の実施形態に係るファンモータについて、図面を参照しながら説明する。なお、図面の説明において同一要素には同一符号を付し、重複する説明は省略する。
【００１３】
（第１実施形態）
図１〜図３に示すように、ファンモータ１は、例えばノートパソコン、デジタルビデオカメラ、カーナビゲーションなどの機器に内蔵されて、これらの冷却に利用される両面吸気でサイドフロータイプのブロア型ファンモータである。
【００１４】
ファンモータ１のハウジング６は、略円形の第２の壁部３の周縁に第３の壁部４が垂直に連設されてなるハウジング本体６ａと、第２の壁部３に対面するようにハウジング本体６ａの開口の一部を塞ぐカバー２と、を有する。以下、第２の壁部３及び第３の壁部４は単に壁部３，４という。カバー２には、円形の吸気口２ａが形成されており、壁部３には、吸気口２ａに対面する３つの吸気口３ａが壁部中心３ｂの周囲に形成されている。また、壁部４の一部には、長方形の排気口４ａが形成されている。
【００１５】
さらに、ファンモータ１は、ハウジング６内に固定されて、通電により回転力を生じるモータ部７と、モータ部７に取り付けられて、モータ部７で生じた回転力により回転軸線Ａを中心に回転する樹脂製のインペラ部８とを備えている。これらのモータ部７及びインペラ部８は、ハウジング６内に収容されている。ファンモータ１は、インペラ部８の回転により、吸気口２ａ，３ａから空気を吸い込むと共に排気口４ａから空気を排出する。
【００１６】
ここで、ハウジング６は、３つの吸気口３ａの中央に位置して、壁部中心３ｂからハウジング６の内方に向けて突出するベース部１０を有している。このベース部１０は、ハウジング６内においてモータ部７を固定するための土台である。ベース部１０は、壁部３の一部として延びる３本の連結片１１により、ハウジング本体６ａに一体成形されている。ベース部１０は、先端が回転軸線Ａを中心とする円板状に突出したベース板１０ａと、ベース板１０ａ上でベース板１０ａの中央に垂直に立設された円筒状の軸受保持部１０ｂと、連結片１１から回転軸線Ａ方向に膨出された四角柱形状の脚部１０ｄとにより構成されている。
【００１７】
このような構成のベース部１０には、脚部１０ｄの採用により、吸気口３ａに連通して、吸気口３ａを回転軸線Ａ方向且つ径方向に拡大する窪み部１０ｃが３箇所に形成されている。こうしてベース板１０ａに窪み部１０ｃが形成されることで、吸気口３ａは、ベース板１０ａの裏面側に形成されることになる。
【００１８】
モータ部７は、ベース板１０ａ上に重ねて固定されて、インペラ部８の停止位置を規制するためのフラックスプレート１２と、フラックスプレート１２上に重ねて固定されて、ベース板１０ａと略等しい外形をなす回路基板１３と、回路基板１３上において、軸受保持部１０ｂを挟んで対称に並置された２個のコイル１４とを有している。回路基板１３には、磁気を検知するホール素子（図示せず）などが搭載され、ホール素子からの電気信号に基づいて各コイル１４への給電が制御される。
【００１９】
さらに、モータ部７は、軸受保持部１０ｂ内に嵌入されて、軸受保持部１０ｂに対し圧入などにより固定された筒状の油含浸軸受１６と、油含浸軸受１６の軸孔１６ａ内に挿入されて上下方向に延び、油含浸軸受１６に対し回転自在なシャフト１７とを有している。すなわち、軸受保持部１０ｂ、油含浸軸受１６、及びシャフト１７は、回転軸線Ａを中心として同軸に配置されている。ファンモータ１において、ベース部１０、フラックスプレート１２、回路基板１３、コイル１４、及び油含浸軸受１６は、ステータを構成している。
【００２０】
シャフト１７の上端には、インペラ部８の中心部を構成するキャップ状のボス部１８が圧入又は接着などにより固定されている。そして、ボス部１８の裏面側には、金属製で円環板状のバックヨーク１９が配置され、ボス部１８内でバックヨーク１９の下面側には、円環状のマグネット２０が接着などにより固定されている。モータ部７の一部をなすマグネット２０は、コイル１４から回転軸線Ａ方向に多少離間した位置でコイル１４に対面している。ファンモータ１において、シャフト１７、インペラ部８、バックヨーク１９、及びマグネット２０は、ロータを構成している。
【００２１】
インペラ部８は、モータ部７が内部に配置された上記のボス部１８と、ボス部１８の周縁から径方向外方に延在する複数の羽根２１とを有しており、これらは一体成型により成形されている。インペラ部８は、モータ部７で生じた回転力により、シャフト１７、ボス部１８、バックヨーク１９、マグネット２０、及び複数の羽根２１が一体となってシャフト１７を中心に回転方向Ｂに回転し、吸気口２ａ，３ａから空気を吸い込むと共に排気口４から空気を排出する。なお、吸気口２ａからの吸気量は、吸気口３ａからの吸気量に比して大きくなる。
【００２２】
図４は、インペラ部８の平面図、図５は、インペラ部８の底面図である。図４及び図５に示すように、ボス部１８の周縁には、１９枚の羽根２１が周方向に均等に配置されている。各羽根２１は、カバー２から壁部３に向けて回転軸線Ａ方向に沿って延びると共に、ボス部１８から径方向外方に向けて回転方向Ｂに湾曲しながら延びている。すなわち、各羽根２１は、回転方向Ｂにおいて、上流側に凸状をなしている。
【００２３】
さらに、各羽根２１の壁部３側の端部２１ａに沿って、壁部３に近接して回転方向Ｂに突出し且つ径方向に延在する凸部２２が設けられている。この凸部２２は、羽根２１の径方向の外端から内端に向かって、羽根２１の壁部３側の端部２１ａの途中まで延在している。
【００２４】
そして、以上のように構成されたインペラ部８がハウジング６内に組み込まれた状態では、羽根２１のカバー２側の端部は、その大部分が吸気口２ａ内に露出している（図１、図３参照）。一方、羽根２１の壁部３側の端部２１ａは、凸部２２の部分が壁部３に対向し、凸部２２の設けられていない部分が吸気口３ａに対向しており、凸部２２の径方向の内端が吸気口３ａ内に多少露出している（図２、図３参照）。
【００２５】
本実施形態のファンモータ１によれば、インペラ部８がモータ部７の回転軸線Ａを中心に回転することで、ハウジング６のカバー２及び壁部３のそれぞれに形成された吸気口２ａ，３ａから空気が吸い込まれると共に、ハウジング６の壁部４に形成された排気口４ａから空気が排出される。ここで、インペラ部８の複数の羽根２１には、壁部３に近接して回転方向Ｂに突出し且つ径方向に延在する凸部２２が設けられるので、吸気口２ａから吸い込まれた空気が、壁部３側に散逸することが防止され、これにより、吸い込まれた空気は排気口４ａから効率良く排出される。よって、空気の静圧を十分に高めることができる。さらに、壁部中心３ｂから内方に向けて突出するベース部１０には、吸気口３ａに連通して、吸気口３ａを回転軸線Ａ方向に拡大する窪み部１０ｃが設けられているので、この窪み部１０ｃによって拡大された吸気口３ａを通って空気が吸い込まれることとなり、吸気口３ａからの吸気量を増大させることができる（図３の矢印Ｃ参照）。よって、空気の風量を十分に高めることができる。
【００２６】
また、凸部２２は、羽根２１の壁部３側の端部２１ａに沿って、羽根２１の径方向の外端から内端に向かって端部２１ａの途中まで延在しているので、端部２１ａには、径方向の内端寄りに凸部２２が設けられない部分ができ、吸気口３ａから吸い込まれる空気の流れが凸部２２により妨げられることが防止される。よって、この凸部２２とベース部１０の窪み部１０ｃとの協働により、吸気口３ａからの十分な吸気量を確保できる。
【００２７】
図８に示す従来のファンモータ３０では、インペラ部８０を構成する羽根４０には凸部が設けられず、そのため、吸気口２ａから吸い込まれた空気は、壁部３側に散逸し、羽根４０の壁部３側の端部４０ａと壁部３との隙間に侵入していた。よって、空気の静圧を十分に高めることは難しかった。また、ベース部５０には窪み部が設けられず、吸気口３ａは拡大されることがなく狭小であったので、吸気口３ａからの吸気量を増大させることは難しかった（図８の矢印Ｄ参照）。
【００２８】
しかしながら、本実施形態のファンモータ１によれば、上述したように、十分な静圧と風量とを両立させることができる。
【００２９】
（第２実施形態）
図６及び図７に示すように、ファンモータ１Ａが第１実施形態のファンモータ１と異なる点は、ベース板１０ａと脚部１０ｄとを有するベース部１０に代えて、壁部３からの突出方向に向かうにつれて半径が漸増するテーパ状（円錐形状）のベース板１５ａと、連結片１１から回転軸線Ａ方向に膨出された三角錐形状の脚部１５ｄとを有するベース部１５を備えた点である。すなわち、ベース部１５には、吸気口３ａに連通して、吸気口３ａを回転軸線Ａ方向且つ径方向に拡大する窪み部１５ｂが３箇所に形成されている。
【００３０】
本実施形態のファンモータ１Ａによれば、ファンモータ１と同様の作用・効果を得ることができる。
【００３１】
（実験例）
第１実施形態に係るファンモータ１を用いた場合と、図８に示した従来のファンモータ３０を用いた場合とで、静圧及び風量を実際に測定した。羽根２１の回転数は、いずれの場合も６５００ｍｉｎ−１である。その結果、従来のファンモータ３０を用いた場合に比して、ファンモータ１では、静圧が１０．６％増大すると共に、風量が１３％増大することが確認された。
【００３２】
なお、ファンモータ１において凸部２２のみを設け、窪み部１０ｃを設けなかった場合では、従来のファンモータ３０を用いた場合に比して、静圧が１０％増大したが、風量は３％の微増に留まった。また、ファンモータ１において窪み部１０ｃのみを設け、凸部２２を設けなかった場合では、従来のファンモータ３０を用いた場合に比して、静圧は３％の微増に留まり、風量は９．３％増大した。
【００３３】
以上、本発明の実施形態について詳述したが、本発明は上記実施形態に限られるものではない。例えば、凸部２２は、羽根２１の壁部３側の端部２１ａに沿って延在する場合に限られず、カバー２側の端部と壁部３側の端部との中間の位置で回転方向に突出し且つ径方向に延在してもよい。また、ハウジング６における吸気口２ａ，３ａ及び排気口４ａの形状、インペラ部８における羽根２１の形状・枚数などは、ファンモータに求められる性能に応じ、適宜設計することができる。また、凸部２２は、すべての羽根２１に設けられる場合に限られず、一部の羽根２１に設けられてもよい。
【符号の説明】
【００３４】
１，１Ａ…ファンモータ、２…カバー（第１の壁部）、２ａ…吸気口、３…第２の壁部、３ａ…吸気口、４…第３の壁部、４ａ…排気口、６…ハウジング、７…モータ部、８…インペラ部、１０…ベース部、１０ｃ…窪み部、１５…ベース部、１５ｂ…窪み部、１８…ボス部、２１…羽根、２２…凸部、Ａ…回転軸線、Ｂ…回転方向。
【図１】
0005479229.tif 000002
【図２】
0005479229.tif 000003
【図３】
0005479229.tif 000004
【図４】
0005479229.tif 000005
【図５】
0005479229.tif 000006
【図６】
0005479229.tif 000007
【図７】
0005479229.tif 000008
【図８】
0005479229.tif 000009